(57)【要約】      （修正有）【課題】モータの振動による実機の影響を低減するようにした、ステータ支持構造、ファン及び冷却装置を提供する。【解決手段】ステータ支持構造は、円盤状の基部１００と、基部の中心に位置し、ステータを支持するための支持部２００と、を備え、支持部の径方向外側に周方向に沿って複数の貫通孔１０１が設けられている。貫通孔の径方向外側には、複数の爪部１０２が設けられている。本実施例のステータ支持構造は、モータの振動の伝達経路を変更し、モータの振動による実機の影響を低減する。【選択図】図２ａ
2019122243.tif 000002
【特許請求の範囲】
【請求項１】
円盤状の基部と、
前記基部の中心に位置し、ステータを支持するための支持部と、
を備えるステータ支持構造であって、
前記支持部の径方向外側に周方向に沿って複数の貫通孔が設けられており、
前記複数の貫通孔の径方向外側には、複数の爪部が設けられていることを特徴とするステータ支持構造。
【請求項２】
各前記爪部の周方向の中心、前記爪部の径方向内側の貫通孔の周方向の中心及び前記基部の中心は、１本の直線に位置していることを特徴とする請求項１に記載のステータ支持構造。
【請求項３】
前記貫通孔の数及び前記爪部の数は、それぞれ３つであることを特徴とする請求項１または請求項２に記載のステータ支持構造。
【請求項４】
３つの前記貫通孔と、３つの前記爪部とは、周方向に等間隔に配置されていることを特徴とする請求項３に記載のステータ支持構造。
【請求項５】
前記貫通孔が円弧状であることを特徴とする請求項１から請求項４のいずれか１項に記載のステータ支持構造。
【請求項６】
前記貫通孔の径方向外側の辺は円弧であり、前記貫通孔の径方向内側の辺は直線であることを特徴とする請求項５に記載のステータ支持構造。
【請求項７】
前記貫通孔が凸字状であることを特徴とする請求項１から請求項４のいずれか１項に記載のステータ支持構造。
【請求項８】
周方向での前記貫通孔の径方向外側の辺の長さは、周方向での前記貫通孔の径方向内側の辺の長さよりも短い、ことを特徴とする請求項７に記載のステータ支持構造。
【請求項９】
各前記貫通孔内には、前記貫通孔を複数の副貫通孔に分割する交差状のクロスコネクト部が設けられていることを特徴とする請求項１から請求項４のいずれか１項に記載のステータ支持構造。
【請求項１０】
前記副貫通孔の数が３つ又は４つであることを特徴とする請求項９に記載のステータ支持構造。
【請求項１１】
前記基部には、隣接する２つの前記貫通孔間に位置している配線案内部がさらに設けられていることを特徴とする請求項１から請求項１０のいずれか１項に記載のステータ支持構造。
【請求項１２】
前記配線案内部は、
前記基部の厚さ方向に沿って前記基部を貫通するとともに、隣接する２つの前記貫通孔間に位置している第１孔部と、
前記第１孔部の周方向の一方側から前記第１孔部の周方向の他方側へ突出する第１案内部と、
前記第１案内部の径方向外側に位置し、前記第１案内部の突出方向とは反対側へ突出する第２案内部と、
を備えることを特徴とする請求項１１に記載のステータ支持構造。
【請求項１３】
前記支持部の径方向外側には、２つの前記貫通孔間に位置している複数の第２孔部を備えることを特徴とする請求項１から請求項１２のいずれか１項に記載のステータ支持構造。
【請求項１４】
前記第２孔部の数が2つであることを特徴とする請求項１３に記載のステータ支持構造。
【請求項１５】
前記爪部の軸方向の少なくとも一側には、弾性部材が設けられていることを特徴とする請求項１から請求項１４のいずれか１項に記載のステータ支持構造。
【請求項１６】
前記ステータ支持構造は、樹脂で一体成型されていることを特徴とする請求項１から請求項１５のいずれか１項に記載のステータ支持構造。
【請求項１７】
ブレードと、
中心軸を中心として回転可能に配置されているモータであって、前記ブレードを固定するためのロータと、前記ロータの径方向内側に配置されるとともに、前記ロータとの間で回転磁界を発生するステータと、を有するモータと、
前記ステータを支持する請求項１から１６のいずれか１項に記載のステータ支持構造と、
前記ステータと、前記ステータ支持構造との間に配置される回路基板と、
を備えるファン。
【請求項１８】
請求項１７に記載のファンを備える冷却装置。
【発明の詳細な説明】
【技術分野】
【０００１】
本発明は、モータ分野に関し、特にステータ支持構造、ファン及び冷却装置に関する。
【背景技術】
【０００２】
社会の発展及び科技の進歩に伴って、現在で、人間は高品質の生活を追求しており、家電製品の静音化が高く要請されていく。例えば、電気製品（例えば、冷却装置）の低騒音化の問題に対して、モータの低振動は、急務となっている。図１を参照して、加振源であるモータのステータは、ステータキャリアの基部Ａに取り付けられ、振動の伝達経路がＡ→Ｂ→Ｃである。つまり、ステータに振動が発生すると、当該振動は、基部Ａからリブ部Ｂを経て爪部Ｃに伝達され、爪部Ｃが振動を実機（例えば、冷却装置）へ伝達し、振動が大きくなるほど、騒音が大きくなり、これによって、ユーザ体験が低減されてしまう。
【０００３】
ここで注意すべきなのは、上記の技術背景に対する紹介は、本発明の技術案に対してより明瞭かつ完全な説明を行うことに利便を図りながら、当業者が理解しやすいように記述するものに過ぎない。それらの方案が本発明の背景技術の部分に記載されていることだけで、前記技術方案が当業者により公知されたものであると認定してはならない。
【発明の概要】
【発明が解決しようとする課題】
【０００４】
背景技術において指摘された課題のうちの少なくとも１つを解決するために、本発明の実施例は、モータの振動による実機の影響を低減するように、ステータ支持構造、ファン及び冷却装置を提供する。
【課題を解決するための手段】
【０００５】
本発明の実施例の第１の態様では、円盤状の基部と、前記基部の中心に位置し、ステータを支持するための支持部と、を備え、前記支持部の径方向外側に周方向に沿って複数の貫通孔が設けられており、前記複数の貫通孔の径方向外側には、複数の爪部が設けられているステータ支持構造を提供する。
【０００６】
本発明の実施例の第２の態様では、ブレードと、中心軸を中心として回転可能に配置されているモータであって、前記ブレードを固定するためのロータと、前記ロータの径方向内側に配置されるとともに、前記ロータとの間で回転磁界を発生するステータと、を有するモータと、前記ステータを支持する第1の態様に記載のステータ支持構造と、前記ステータと、前記ステータ支持構造との間に配置される回路基板と、を備えるファンを提供する。
【０００７】
本発明の実施例の第３の態様では、第２の態様に記載のファンを備える冷却装置を提供する。
【発明の効果】
【０００８】
本発明の実施例は、ステータ支持構造により、モータの振動の伝達経路を変更し、モータの振動による実機の影響を低減したという有益な効果を有している。
【０００９】
後述する説明と図面を参照して、本発明の特定な実施の形態は詳しく開示され、本発明の原理が使用されることも示された。理解すべきことは、本発明の実施の形態は、範囲上にそれで限定されない。添付される特許請求の範囲の範囲内において、本発明の実施の形態は多くの変更、修正及び均等物を含む。
【００１０】
１つの実施の形態の記載及び/又は示された特徴に対して、同様又は類似する様態で１つ又は更に多くのその他の実施の形態に使用され、その他の実施の形態の特徴と組み合わせ、或はその他の実施の形態の特徴を切り替えることができる。
【００１１】
強調すべきことは、用語である「備える/含む」は本文で特徴、整体部材、ステップ又は部材の存在を示すために使われているが、１つ又は更に多くのその他の特徴、整体部材、ステップ又は部材の存在或は付加が排除されるわけではない。
【図面の簡単な説明】
【００１２】
【図１】図１は、従来のステータキャリア（ステータ支持構造）の模式図である。
【図２ａ】図２ａは、実施例１のステータ支持構造の一実施形態の模式図である。
【図２ｂ】図２ｂは、実施例１のステータ支持構造の別の実施形態の模式図である。
【図２ｃ】図２ｃは、実施例１のステータ支持構造の更なる実施形態の模式図である。
【図３】図３は、実施例１のステータ支持構造の爪部に設けられた弾性部材の斜視図である。
【図４】図４は、実施例１のステータ支持構造の爪部に設けられた弾性部材の側面図である。
【図５】図５は、実施例１のステータ支持構造の爪部に設けられた弾性部材の平面図である。
【図６】図６は、実施例２のファンの模式図である。
【図７】図７は、実施例２のファンの断面図の一部である。
【発明を実施するための形態】
【００１３】
本発明の実施例の１つの図又は１つの実施形態に記載された要素及び特徴は、１つ以上の他の図又は実施形態に示された要素及び特徴と組み合わせることができる。さらに、図面において、類似的な符号は、いくつかの図面における対応する部材を示し、１つ以上の実施形態で使用される対応する部材を示すために使用され得る。
【００１４】
添付図面は、本発明の実施例の更なる理解のためのものであり、明細書の一部を構成し、且つ、本発明の実施形態を例示するためのものであり、文字記述と共に本発明の原理を説明している。以下の説明における図面は、本発明のいくつかの実施例であることに過ぎず、当業者にとっては、創意工夫を要せずに、これらの図面に基づいて他の図面を取得できるのは、明らかである。
【００１５】
図面を参照して、下記の明細書によれば、本発明の前述及びその他の特徴が明らかになる。明細書及び図面において、本発明の特定の実施形態は具体的に開示されており、本発明の原理を採用可能な実施形態の一部が示されるが、本発明は、記載される実施形態に限らない。逆に、本発明には、添付される請求の範囲内に含まれるすべての修正、変形及び均等物を含むこととする。
【００１６】
本発明の実施例において、用語「第１」、「第２」などは、異なる要素を名称から区別するために使用されるが、これらの要素の空間的配列や時間的順序などを示すものではなく、これらの要素は、これらの用語に限定されるべきではない。用語「および／または」は、関連して列挙された用語の１つまたは複数のうちのいずれか１つおよび全ての組み合わせを含む。用語「含む」、「有する」、「備える」などは、記載されている特徴、要素、素子、または部材の存在を意味するが、１つ以上の他の特徴、要素、素子、または部材の存在または追加を除外しない。
【００１７】
本発明の実施例において、単数形の「１つ」、「該」などは複数形を含み、「１種」又は「１種類」に広く理解されるべきものであり、「１つ」である意味に限定されるものではない。さらに、特に文脈から明確に示していない限り、用語「前記」は、単数形および複数形の両方を含むものと理解すべきである。さらに、特に文脈から明確に示していない限り、用語「に応じて」は、「少なくとも部分的に応じて」との意味に理解すべきである。用語「基づく」は、「少なくとも部分的に基づく」との意味に理解すべきである。
【００１８】
本発明の実施例では、説明の便宜上、ステータ支持構造の中心を中心とする半径方向を「径方向」と言い、ステータ支持構造の中心を中心とする円周方向を「周方向」と言うが、これは説明の便宜上のものであり、本発明の実施例のステータ支持構造の使用及び製造時の向きを限定しない。
【００１９】
本発明の実施例では、ファンは、ブレードとモータと、を有し、モータは、ステータと、ロータと、を有し、ステータは、本発明の実施例のステータ支持構造に取り付けられることができる。当該ステータ支持構造は、実機（例えば、冷却装置）を接続するための爪部をさらに備える。以下、本発明の各実施の形態について図面を参照しながら説明する。これらの実施形態は例示に過ぎず、本発明を限定するものではない。
【００２０】
＜実施例１＞
本発明の実施例は、ステータ支持構造を提供する。図２ａは、当該ステータ支持構造の一実施形態の模式図であり、図２ａに示されたように、当該ステータ支持構造は、円盤状の基部１００と、基部１００の中心に位置している支持部２００と、備える。当該支持部２００は、ステータを支持する。本実施例において、図２ａに示されたように、当該支持部２００の径方向外側に周方向に沿って複数の貫通孔１０１が設けられている。図２ａには、３つの貫通孔１０１が示されている。当該複数の貫通孔１０１の径方向外側に複数の爪部１０２が設けられている。図２ａには、３つの爪部１０２が示されている。
【００２１】
本実施例のステータ支持構造によれば、爪部１０２と支持部２００との間には、貫通孔１０１が設けられているため、支持部２００に取り付けられるモータのステータに発生した振動は、爪部１０２に直接的に伝達されない。つまり、モータの振動の伝達経路が変更し、モータの振動による爪部１０２に接続された実機への影響を低減することができる。
【００２２】
本実施例の一実施形態において、各爪部１０２の周方向の中心、当該爪部１０２の径方向内側の貫通孔１０１の周方向の中心、及び基部１００の中心は、１本の直線上に位置している。つまり、爪部１０２の周方向の中心と、当該爪部１０２の径方向内側の貫通孔１０１の周方向の中心とを結ぶ直線は、基部１００の中心を通過する。本実施形態において、周方向の中心とは、周方向の最縁部の２点間を結ぶ直線の中心をいう。
【００２３】
ファンを駆動すると、ロータの回転に伴ってステータに振動が発生し、従来のステータ支持構造（ステータキャリア）では、ステータに発生した振動はファンに伝達されやすく、ファンの振動又は騒音が発生しやすい。本実施例のステータ支持構造によれば、爪部１０２の中心と、基部１００との中心を結ぶ直線には、貫通孔１０１が設けられていることで、基部１００の中心の加振源からの振動の伝達距離を長くして、ファンの振動を低減し、騒音を低減することができる。
【００２４】
本実施例において、図２ａに示されたように、貫通孔１０１の数と、爪部１０２の数とは、それぞれ３つである。３つの貫通孔１０１と３つの爪部１０２とは、周方向に等間隔で配置されてもよい。この構造により、３つの爪部１０２により実機を接続し、安定的に支持することができる。それぞれの爪部１０２の径方向内側には、１つの貫通孔１０１が設けられており、基部１００の中心のモータからの振動の伝達距離を長くすることができる。
【００２５】
また、本実施例は、貫通孔１０１の数及び爪部１０２の数を限定しなく、具体的な実施プロセスにおいて、他の数の貫通孔１０１及び爪部１０２を設けてもよい。貫通孔１０１と爪部１０２との数は、同じであってもよいし、異なってもよい。貫通孔１０１と爪部１０２とは、規則的な形状であってもよいし、不規則的な形状であってもよく、対称的な構造であってもよいし、非対称的な構造であってもよい。
【００２６】
一実施形態において、貫通孔１０１は円弧状である。図２ａにおける１つの貫通孔１０１を例として、図２ａに示されたように、当該貫通孔１０１の径方向外側の辺１０１−１は円弧であり、当該貫通孔１０１の径方向内側の辺１０１−２は直線である。この構造により、貫通孔１０１の成型に有利となり、且つ、モータ（支持部２００）に近接する貫通孔１０１の辺１０１−２が直線であるので、モータからの振動の伝達距離をさらに長くすることができる。
【００２７】
本実施例において、図２ａに示されたように、基部１００には、隣接する２つの貫通孔１０１の間に位置する配線案内部１０３をさらに設けてもよい。ステータと支持部２００との間には、回路基板がさらに設けられているので、本実施例は、配線案内部１０３を設けることにより、当該回路基板から引き出された配線を案内することができる。これによって、回路基板から引き出された配線は、基部１００を通過する必要がなく、容易に組み立てられ、組立の工数を低減することができる。
【００２８】
本実施例の一実施形態において、図２ａに示されたように、当該配線案内部１０３には、基部１００の厚さ方向に沿って基部１００を貫通するとともに、隣接する２つの貫通孔１０１の間に位置している第１孔部１０３−１と、第１孔部１０３−１の周方向の一方側から第１孔部１０３−１の周方向の他方側へと突出する第１案内部１０３−２と、及び第１案内部１０３−２の径方向外側に位置し、第１案内部１０３−２の突出方向とは反対側へ突出する第２案内部１０３−３と、をさらに有する。ここの第１案内部１０３−２、第２案内部１０３−３及び基部１００は一体成型されている。
【００２９】
図２ａの例において、第２案内部１０３−３は、基部１００の径方向外側にも位置しているが、本実施例は、これに限定されるものではない。第２案内部１０３−３は、基部１００の径方向内側に位置してもよい。また、配線を容易に案内するように、第１案内部１０３−２と第２案内部１０３−３とが逆の方向へ突出してもよい。
【００３０】
また、図２ａの例において、配線を容易に引っ掛けるように、第２案内部１０３−３はクリップの構造に設けられているが、本実施例はその具体的な構造を限定しなく、実際の需要に応じて任意の構造に設けられてもよい。
【００３１】
また、図２ａの例において、第１案内部１０３−２の中間位置には開口が更に設けられており、これによって、樹脂材の使用量を少なくすることでコストを低減することができる。
【００３２】
本実施例において、図２ａに示されたように、支持部２００の径方向外側には複数の第２孔部１０４をさらに有する。図２ａには２つの第２孔部１０４が示されており、当該複数の第２孔部１０４は、２つの貫通孔１０１の間に位置している。この構造により、基部１００の厚さを薄くして、成型時の樹脂がスムーズとなり、応力を均一化させることができる。また、図２ａには、２つの第２孔部１０４が示されている。本実施例は、第２孔部１０４の数を限定しなく、任意の２つの貫通孔１０１間には１つ又は複数の第２孔部１０４を形成してもよい。
【００３３】
図２ｂは、当該ステータ支持構造の別の実施形態の模式図である。図２ｂに示されたように当該実施形態において、貫通孔１０１は不規則な形状である。図２ａの実施形態において、貫通孔１０１は、直線１０１−２と円弧１０１−１からなる。図２ａに示されたように、円弧１０１−１は、直線１０１−２の径方向外側に位置している。図２ｂの実施形態において、貫通孔１０１は、略凸字状である。図２ｂに示されたように、当該貫通孔１０１の中間で突出した部分は、両端よりも径方向外側に位置している。つまり、周方向での当該貫通孔１０１の径方向外側の辺１０１-３の長さは、周方向の貫通孔１０１の径方向内側の辺１０１−４の長さよりも短い。図２ｂに示されたステータ支持構造の他の組成及び構造は、図２ａの実施形態と同じであり、ここで重複的に説明しない。
【００３４】
図２ｃは、当該ステータ支持構造の更なる実施形態の模式図である。図２ｃに示されたように当該実施形態において、貫通孔１０１の内部には、貫通孔１０１を複数の副貫通孔に分割する交差状のクロスコネクト部１０５が設けられている。説明の便宜上、図２ｃには、１つの貫通孔１０１がクロスコネクト部１０５によって複数の副貫通孔に分割された状況のみが示されている。また、図２ｃには、当該クロスコネクト部１０５が十字交差状であることが示されている。これによって、当該クロスコネクト部１０５は、当該貫通孔１０１を４つの副貫通孔に分割する。他の実施形態において、当該クロスコネクト部１０５は、他の交差状、例えば、人字交差状であってもよい。これによって、当該クロスコネクト部１０５は、当該貫通孔１０１を３つの副貫通孔に分割することができる。本実施例は、当該クロスコネクト部１０５の形状を限定しない。当該クロスコネクト部１０５の形状が異なることによって、副貫通孔の数も異なっている。当該クロスコネクト部１０５により、当該ステータ支持構造の強度及び安定性を増加する効果を達成できる。
【００３５】
本実施例において、爪部１０２の軸方向の少なくとも一方側には、弾性部材（図２ａ、図２ｂ及び図２ｃでは、図示しない）が更に設けられてもよい。図３は、実施例１のステータ支持構造の爪部に設けられた弾性部材の斜視図である。図４は、実施例１のステータ支持構造の爪部に設けられた弾性部材の側面図である。図５は、実施例１のステータ支持構造の爪部に設けられた弾性部材の平面図である。図３〜図５は、当該弾性部材の異なる角度の模式図であり、当該弾性部材はゴムであってもよい。弾性部材を設けることにより、ファンを、本実施例のステータ支持構造により実機（例えば、冷却装置）に取り付けるときに緩衝作用をしており、ファン振動をさらに低減することができる。
【００３６】
本実施例において、当該ステータ支持構造は、樹脂で一体成型されてもよく、他の形成方式であってもよく、本実施例はこれを限定しない。
【００３７】
上記の実施例において、ステータ支持構造により、モータの振動の伝達経路を変更し、モータの振動による実機の影響を低減することができる。
【００３８】
＜実施例２＞
本実施例はファンを提供し、当該ファンは、冷却装置のファンとして冷却の機能をすることができる。図６は、当該ファンの模式図であり、図７は、当該ファンの断面図の一部である。
【００３９】
図６及び図７に示されたように、当該ファンは、ブレード４００、モータ５００、ステータ支持構造６００及び回路基板７００を備える。モータ５００は、中心軸Ｏを中心として回転可能に配置されており、ブレード４００を固定するロータ５０１と、ロータ５０１の径方向内側に配置されるとともに、ロータ５０１との間で回転磁界を発生するステータ５０２と、を有する。ステータ支持構造６００は、当該ステータ５０２を支持する。回路基板７００は、ステータ５０２とステータ支持構造６００との間に配置されている。
【００４０】
本実施例において、ステータ支持構造６００は、実施例１のステータ支持構造の組成を備え、その内容をここに援用し、ここで重複的に説明しない。
【００４１】
本実施例において、モータ５００は、他の組成を有してもよい。当該他の組成及びその構造について従来技術を参照することができ、本実施例はこれを限定しない。
【００４２】
ファンを駆動すると、ロータの回転に伴ってステータに振動が発生し、従来、ステータに発生した振動はファンに伝達されやすく、ファンの振動又は騒音が発生しやすい。本実施例のファン構造によれば、爪部と中心軸とを結ぶ直線には、貫通孔を設けることで、中心の加振源からの振動の伝達距離を長くして、ファン振動を低減することができる。
【００４３】
＜実施例３＞
本実施例は冷却装置である。当該冷却装置が実施例２に記載のファンを備え、他の通常の部材をさらに備える。本実施例は、当該通常の部材の構造、設置方式及び機能を限定しなく、従来技術を参照することができる。
【００４４】
本実施例において、実施例２のファンの構造により、ステータ支持構造の爪部と中心軸とを結ぶ直線には、貫通孔を設けることで、中心の加振源からの振動の伝達距離を長くして、ファン振動を低減することができる。
【産業上の利用可能性】
【００４５】
本実施例の冷却装置は、ファンを用いる任意の冷却装置であってもよく、例えば、ファンを用いる圧縮機であってもよい。ただし、本実施例はこれを限定しなく、実施例２のファンは、他の冷却装置のファンとして用いられてもよい。例えば、空調機の室内機、空調機の室外機、ウォーターサーバー、送風機などの家電製品におけるファンとして用いられてもよい。また、各種の機器情報、産業機器等におけるファンとして用いられてもよい。
【００４６】
以上、具体的な実施の形態を結び付けて、本発明を説明した。しかし、当業者が理解すべきことは、それらの記載はいずれも例示的なものに過ぎず、本発明の保護範囲に対する限定ではない。当業者は本発明の精神と原理に基づいて、本発明に対して種々変形や修正を行うことができるが、それらの変形と修正も本発明の範囲内に含まれる。
【符号の説明】
【００４７】
１００・・・基部
１０１・・・貫通孔
１０２・・・爪部
１０３・・・配線案内部
１０３−１・・・第１孔部
１０３−２・・・第１案内部
１０３−３・・・第２案内部
１０４・・・孔部
１０５・・・クロスコネクト部
２００・・・支持部
４００・・・ブレード
５００・・・モータ
５０１・・・ロータ
５０２・・・ステータ
６００・・・ステータ支持構造
７００・・・回路基板
Ｏ・・・中心軸
【図１】
2019122243.tif 000003
【図２ａ】
2019122243.tif 000004
【図２ｂ】
2019122243.tif 000005
【図２ｃ】
2019122243.tif 000006
【図３】
2019122243.tif 000007
【図４】
2019122243.tif 000008
【図５】
2019122243.tif 000009
【図６】
2019122243.tif 000010
【図７】
2019122243.tif 000011